(57)【要約】【課題】次に押鍵すべき鍵を予告しつつ、誤った押鍵を抑制することができる鍵盤楽器を提供すること。【解決手段】電子鍵盤楽器１は押鍵タイミングが近づくのに応じて、第１予告灯４１〜第３予告灯４３および押鍵指示灯４４の順に点灯する。点灯した場合の押鍵指示灯４４の表示面積は、点灯した場合の第１予告灯４１〜第３予告灯４３の表示面積よりも大きい。第１予告灯４１〜第３予告灯４３が点灯した場合にも、第１予告灯４１〜第３予告灯４３の表示面積と押鍵指示灯４４の表示面積とは異なるため、誤った押鍵を抑制することができる。【選択図】図５
2018077319.tif 000002
【特許請求の範囲】
【請求項１】
鍵盤と、
前記鍵盤の各鍵に対応する押鍵指示表示手段と、
前記鍵盤の各鍵に対応する複数の予告表示手段と、
制御手段と、を備え、
前記制御手段は、演奏情報に基づいて、押鍵すべきタイミングに先行して前記複数の予告表示手段の表示態様を順次切替え、押鍵すべきタイミングで前記押鍵指示表示手段の表示態様を切替える切替処理を実行し、
前記押鍵指示表示手段の表示態様と、前記複数の予告表示手段の表示態様とは異なることを特徴とする鍵盤楽器。
【請求項２】
前記表示態様が異なるとは、前記押鍵指示表示手段の表示面積が前記複数の予告表示手段の各々の表示面積よりも大きいことであることを特徴とする請求項１に記載の鍵盤楽器。
【請求項３】
前記複数の予告表示手段および前記押鍵指示表示手段は、対応する鍵に向かって、前記複数の予告表示手段および前記押鍵指示表示手段の順に並んで設置されており、前記複数の予告表示手段のうち前記対応する鍵との距離が遠い前記予告表示手段から、前記押鍵指示表示手段へ向かって、順に表示面積が大きく、
前記制御手段は、前記切替処理において、
前記複数の予告表示手段の表示態様を前記対応する鍵との距離が遠い前記予告表示手段から順次切替えることを特徴とする請求項２に記載の鍵盤楽器。
【請求項４】
前記表示態様が異なるとは、前記押鍵指示表示手段の表示色と、前記複数の予告表示手段の表示色とが異なることであることを特徴とする請求項１乃至請求項３の何れかに記載の鍵盤楽器。
【請求項５】
前記押鍵指示表示手段および前記複数の予告表示手段は発光手段を有し、
前記制御手段は、前記切替処理において、
前記発光手段の明滅を切替えることにより、前記表示態様を切替え、
前記表示態様が異なるとは、前記押鍵指示表示手段の点灯時における光量と、前記複数の予告表示手段の各々の点灯時における光量とが異なることであり、前記押鍵指示表示手段の点灯時における光量は、前記複数の予告表示手段の各々の点灯時における光量よりも多いことを特徴とする請求項１乃至請求項４の何れかに記載の鍵盤楽器。
【発明の詳細な説明】
【技術分野】
【０００１】
本発明は、鍵盤楽器に関するものである。
【背景技術】
【０００２】
従来より、表示手段を用いて押鍵の指示を行う鍵盤楽器がある。例えば、特許文献１には、各鍵に対応して、押鍵を指示する押鍵指示ＬＥＤと、押鍵すべき鍵を予告する予告表示ＬＥＤとを備える演奏支援装置が開示されている。このような構成によれば、押鍵指示ＬＥＤが点灯する前に、予告表示ＬＥＤが点灯するので、演奏者は次に押鍵すべき鍵を予め知ることができる。
【先行技術文献】
【特許文献】
【０００３】
【特許文献１】特開２０００−１３２１６３号公報
【発明の概要】
【発明が解決しようとする課題】
【０００４】
しかしながら、各鍵に対応して複数のＬＥＤがあると、予告表示ＬＥＤが点灯したのを見て、反射的に演奏者が誤って押鍵してしまう場合があった。
【０００５】
本発明は、上記の課題に鑑みてなされたものであり、次に押鍵すべき鍵を予告しつつ、誤った押鍵を抑制することができる鍵盤楽器を提供することを目的とする。
【課題を解決するための手段】
【０００６】
（１）本願に係る鍵盤楽器は、鍵盤と、鍵盤の各鍵に対応する押鍵指示表示手段と、鍵盤の各鍵に対応する複数の予告表示手段と、制御手段と、を備え、制御手段は、演奏情報に基づいて、押鍵すべきタイミングに先行して複数の予告表示手段の表示態様を順次切替え、押鍵すべきタイミングで押鍵指示表示手段の表示態様を切替える切替処理を実行し、押鍵指示表示手段の表示態様と、複数の予告表示手段の表示態様とは異なることを特徴とする。
【０００７】
このようにすると、予告表示手段の表示態様が切替わった場合にも、予告表示手段の表示態様は押鍵指示表示手段の表示態様とは異なるため、誤った押鍵を抑制することができる。
【０００８】
（２）また、表示態様が異なるとは、押鍵指示表示手段の表示面積が複数の予告表示手段の各々の表示面積よりも大きいことであることを特徴とする。このようにすると、予告表示手段は押鍵指示表示手段よりも目立ちにくくなるため、予告表示手段の表示態様が切替わった場合における誤った押鍵を抑制することができる。
【０００９】
（３）また、複数の予告表示手段および押鍵指示表示手段は、対応する鍵に向かって、複数の予告表示手段および押鍵指示表示手段の順に並んで設置されており、複数の予告表示手段のうち対応する鍵との距離が遠い予告表示手段から、押鍵指示表示手段へ向かって、順に表示面積が大きく、制御手段は、切替処理において、複数の予告表示手段の表示態様を対応する鍵との距離が遠い予告表示手段から順次切替えることを特徴とする。このようにすると、予告表示手段は押鍵指示表示手段よりも目立ちにくくなるため、予告表示手段の表示態様が切替わった場合における誤った押鍵を抑制することができる。また、押鍵タイミングが近づく様子が順に大きくなる表示面積で表現されるため、演奏者は押鍵タイミングが近づいていることを感覚的に捉えやすくなることができる。
【００１０】
（４）また、表示態様が異なるとは、押鍵指示表示手段の表示色と、複数の予告表示手段の表示色とが異なることであることを特徴とする。このようにすると、押鍵指示表示手段と予告表示手段との差異が明確になるため、予告表示手段の表示態様が切替わった場合における誤った押鍵を抑制することができる。
【００１１】
（５）また、押鍵指示表示手段および複数の予告表示手段は発光手段を有し、制御手段は、切替処理において、発光手段の明滅を切替えることにより、表示態様を切替え、表示態様が異なるとは、押鍵指示表示手段の点灯時における光量と、複数の予告表示手段の各々の点灯時における光量とが異なることであり、押鍵指示表示手段の点灯時における光量は、複数の予告表示手段の各々の点灯時における光量よりも多いことを特徴とする。このようにすると、押鍵指示表示手段よりも予告表示手段は目立ちにくくなるため、予告表示手段の表示態様が切替わった場合における誤った押鍵を抑制することができる。
【発明の効果】
【００１２】
本願に係る鍵盤楽器によれば、次に押鍵すべき鍵を予告しつつ、誤った押鍵を抑制することができる鍵盤楽器を提供することができる。
【図面の簡単な説明】
【００１３】
【図１】実施形態に係る電子鍵盤楽器の平面図である。
【図２】ガイド表示および鍵盤の拡大図である。
【図３】電子鍵盤楽器の電気的構成を示すブロック図である。
【図４】ガイド表示の明滅を説明するタイミング図である。
【図５】ガイド表示の点灯の遷移を説明する図である。
【図６】電子鍵盤楽器の機能ブロック図である。
【図７】別例１に係るガイド表示の点灯の遷移を説明する図である。
【図８】別例２に係るガイド表示の点灯の遷移を説明する図である。
【発明を実施するための形態】
【００１４】
＜鍵盤楽器の構成＞
レッスン機能を有する電子鍵盤楽器１の構成について図１を用いて説明する。電子鍵盤楽器１は筐体１ａ、鍵盤１０、ユーザインターフェース１２、スピーカ１５１，１５１などを備えている。鍵盤１０、ユーザインターフェース１２およびスピーカ１５１，１５１は筐体１ａの正面に配置されている。鍵盤１０は音高に対応した白鍵１０ａおよび黒鍵１０ｂを複数備えている。以下の説明において、鍵盤１０の鍵の並ぶ方向を左右方向、左右方向と平面視において直交する方向を上下方向と称する。ユーザインターフェース１２およびスピーカ１５１，１５１は鍵盤１０の上側に配置されている。スピーカ１５１，１５１は鍵盤１０が受付けた操作に応じた音などを放音する。ユーザインターフェース１２は液晶ディスプレイ１２１、鍵盤１０の鍵と同数のガイド表示４０、および不図示の複数の操作ボタンなどを備えている。液晶ディスプレイ１２１は左右方向における略中央に配置されており、設定画面などを表示する。ガイド表示４０は鍵盤１０の各鍵に対応して、各鍵の近傍に配置されている。操作ボタンとしては、電源ボタン、「スタート／ストップ」ボタンなどがある。尚、図１および図２では、複数の白鍵１０ａ、黒鍵１０ｂ、およびガイド表示４０のうち１つにのみ符号を付し、その他の符号は省略している。
【００１５】
ガイド表示４０については図２を用いて詳しく説明する。ガイド表示４０は、各々の鍵１つに対応し第１予告灯４１、第２予告灯４２、第３予告灯４３、および押鍵指示灯４４の４つの表示灯を有する。筐体１ａの一部は、第１予告灯４１、第２予告灯４２、第３予告灯４３、および押鍵指示灯４４の各々に対応する矩形の透過性シートが形成されており、透過性シートの筐体１ａの内部側に不図示のＬＥＤ（Light Emitting Diode）がそれぞれの表示灯として４つ配置されている。透過性シートとは透過性を有するシートである。ＬＥＤの発光色は例えば赤色である。ＬＥＤが点灯した場合、演奏者は透過性シートを通過したＬＥＤが発する光を視認することができる。ここでは、透過性シートとＬＥＤとを含めた各々の構成を第１予告灯４１〜第３予告灯４３および押鍵指示灯４４と称する。
【００１６】
第１予告灯４１〜第３予告灯４３は、演奏者が押鍵すべき押鍵タイミングに先行して点灯することにより、押鍵タイミングを予告する。押鍵指示灯４４は押鍵タイミングに点灯することにより、押鍵タイミングを指示する。第１予告灯４１〜第３予告灯４３を構成する透過性シートの各々は、平面視で互いに同じ矩形の形状を有している。押鍵指示灯４４を構成する透過性シートは平面視で矩形の形状を有しており、透過性シートの平面視での面積は、第１予告灯４１〜第３予告灯４３の各々を構成する透過性シートの平面視での面積よりも大きい。したがって、押鍵指示灯４４の表示面積は、第１予告灯４１〜第３予告灯４３の各々の表示面積よりも大きい。これにより、第１予告灯４１〜第３予告灯４３の何れかが点灯した状態よりも押鍵指示灯４４が点灯した状態の方を、演奏者の目に留まり易くすることができる。尚、点灯した状態での第１予告灯４１〜第３予告灯４３および押鍵指示灯４４の明るさは、同程度である。
【００１７】
次に、電子鍵盤楽器１の電気的構成について図３を用いて説明する。電子鍵盤楽器１は、図１に示した構成の他に、検出回路１１、音源回路１３、効果回路１４、スピーカ１５１，１５１を有するサウンドシステム１５、ＣＰＵ１６、タイマ３１、ＲＡＭ１８、ＲＯＭ１９、データ記憶部２０、ネットワークインターフェース２１などを備えている。ＣＰＵ１６はＲＯＭ１９が記憶している各種のプログラムを実行することによって、各部を制御する。ここで、各部とは、バス２２を介してＣＰＵ１６と接続される検出回路１１、ユーザインターフェース１２、音源回路１３、およびネットワークインターフェース２１などである。ＲＡＭ１８は、ＣＰＵ１６が各種の処理を実行するための主記憶装置として用いられる。データ記憶部２０は、ＭＩＤＩ（Musical Instrument Digital Interface；登録商標）形式の楽曲データなどを記憶する。データ記憶部２０は、例えばフラッシュメモリなどで実現される。タイマ３１はＣＰＵ１６の命令に従って、設定時間までの残り時間をカウントし、残り時間が０となると、ＣＰＵ１６に信号を出力する。
【００１８】
検出回路１１は鍵盤１０の動きを検出して生成する演奏検出信号をＣＰＵ１６へ送信する。ＣＰＵ１６は受信した演奏検出信号に基づいてＭＩＤＩ形式の演奏データを生成する。
【００１９】
音源回路１３は、ＭＩＤＩ形式のデータに信号処理を行い、デジタルオーディオ信号を出力する。効果回路１４は、音源回路１３から出力されるオーディオ信号に例えばリバーブなどの効果を付加したデジタルオーディオ信号を出力する。サウンドシステム１５は、不図示のデジタルアナログ変換器およびアンプなどを有する。デジタルアナログ変換器は、効果回路１４から出力されるデジタルオーディオ信号をアナログオーディオ信号に変換し、アンプへ出力する。アンプは、アナログオーディオ信号を増幅し、スピーカ１５１，１５１へ出力する。スピーカ１５１，１５１は入力されるアナログオーディオ信号に応じて発音する。このように、電子鍵盤楽器１は鍵盤１０の操作に応じて、演奏音を発音する。また、データ記憶部２０に記憶されている楽曲データに基づいて、自動演奏音を発音する。以下、自動演奏音を発音することを、再生すると記載する場合がある。
【００２０】
ユーザインターフェース１２は、ＣＰＵ１６の命令に従って、例えば各種の設定画面などを液晶ディスプレイ１２１に表示する。また、ユーザインターフェース１２は操作ボタンで受付けた操作を信号としてＣＰＵ１６へ送信する。また、ユーザインターフェース１２は、ＣＰＵ１６の命令に従って、第１予告灯４１〜第３予告灯４３および押鍵指示灯４４を構成するＬＥＤの各々を明滅する。ネットワークインターフェース２１は、ＬＡＮ通信を行う。ＣＰＵ１６は、ネットワークインターフェース２１および不図示のルータを介してインターネットと接続し、インターネットに接続されている楽曲データを提供するコンテンツサーバから楽曲データをダウンロードすることができる。
【００２１】
＜レッスン機能の概要＞
次に、電子鍵盤楽器１のレッスン機能について図４，５を用いて説明する。図４，５において、時間は、対応する鍵の押鍵タイミングを０としている。また、図４において、第１予告灯４１〜第３予告灯４３および押鍵指示灯４４の点灯している期間を黒色部で表記している。また、図５において、点灯している第１予告灯４１〜第３予告灯４３および押鍵指示灯４４を黒色部で表記している。図４に示すように、電子鍵盤楽器１は楽曲データの再生を開始し、押鍵タイミングの３拍前に第１予告灯４１を点灯する。次に、押鍵タイミングの２拍前になると、電子鍵盤楽器１は第１予告灯４１を消灯し、第２予告灯４２を点灯する。次に、押鍵タイミングの１拍前になると、電子鍵盤楽器１は第２予告灯４２を消灯し、第３予告灯４３を点灯する。次に、押鍵タイミングになると、電子鍵盤楽器１は第３予告灯４３を消灯し、押鍵指示灯４４を点灯する。次に、押鍵タイミングの１拍後になると、電子鍵盤楽器１は押鍵指示灯４４を消灯する。図５に示す様に、３拍前、２拍前、１拍前と時間が経過するのに応じて、第１予告灯４１、第２予告灯４２、第３予告灯４３は順に明滅する。また、押鍵タイミングとなると、押鍵指示灯４４が点灯する。電子鍵盤楽器１は鍵盤１０の各々の鍵に対応するガイド表示４０のすべてに対して、上記のように明滅を行う。順に点灯される第１予告灯４１〜第３予告灯４３および押鍵指示灯４４を見ることにより、楽曲の進行に合わせて、演奏者は押鍵すべき鍵を押鍵タイミングより事前に検知し、追っていくことができる。また、押鍵指示灯４４の点灯により、押鍵タイミングを認識することができる。
【００２２】
＜楽曲データ＞
次に、楽曲データについて説明する。楽曲データには楽曲情報および複数のトラックが含まれている。楽曲情報には、楽曲データの楽曲名などの情報が含まれている。トラックには時間情報とイベントとが１組として構成されているデータが楽曲の進行順に並んでいる。イベントとは、処理の内容を指示するデータである。時間情報とは、処理する時間を指示するデータである。複数のトラックのうち、１つのトラックには、レッスン用のデータが収められており、その他のトラックには、練習用のデータが収められている。イベントには、ＭＩＤＩイベントである「ノートオン」および「ノートオフ」と、メタイベントである「ガイド表示オン」および「ガイド表示オフ」などがある。尚、「ガイド表示オン」および「ガイド表示オフ」は、レッスン用のトラックに含まれている。
【００２３】
「ノートオン」は発音を指示するデータであり、「ノートオフ」は消音を指示するデータである。「ノートオン」および「ノートオフ」には、「ノートナンバー」、「ベロシティ」などが付随している。「ノートナンバー」とは、音高を指定するデータであり、「ベロシティ」とは、音の強弱を表すデータである。「ガイド表示オン」および「ガイド表示オフ」は、夫々、ガイド表示４０の点灯および消灯のためのデータである。「ガイド表示オン」および「ガイド表示オフ」には、「ノートナンバー」などが付随している。「ガイド表示オン」に対応する時間情報は、押鍵タイミングの３拍前に設定されている。尚、トラックの最後には、終了コードが含まれている。
【００２４】
＜機能ブロック＞
次に、電子鍵盤楽器１が有するレッスン機能に関わる機能ブロックについて、図６を用いて説明する。電子鍵盤楽器１は、上記した構成の他に、読出し部５１およびＬＥＤ制御部５２を有している。読出し部５１およびＬＥＤ制御部５２は、例えばＣＰＵ１６がＲＯＭ１９に記憶されているプログラムを実行することなどにより実現される。
【００２５】
レッスン機能を使用したい演奏者が、ユーザインターフェース１２を操作して、所望の楽曲データを選択すると、ＣＰＵ１６は指定された楽曲データをデータ記憶部２０から読み出して、ＲＡＭ１８に記憶させる。レッスン機能を開始したい演奏者は、ユーザインターフェース１２の「スタート／ストップ」キーを押下する。
【００２６】
読出し部５１は、ユーザインターフェース１２からの信号により、「スタート／ストップ」キーが押下されたと判断すると、読出し処理を開始する。読出し処理を開始すると、読出し部５１は、ＲＡＭ１８に記憶されている楽曲データのトラックに含まれる時間情報およびイベントを先頭から順に読み出し、タイマ３１を用いて時間情報に従ったタイミングで、イベントに応じた命令をＬＥＤ制御部５２および音源回路１３に出力する。イベントが、「ノートオン」、「ノートオフ」であれば、音源回路１３に「ノートオン」、「ノートオフ」の命令を出力する。音源回路１３および効果回路１４は、入力される「ノートオン」、「ノートオフ」の命令と付随する「ノートナンバー」、「ベロシティ」などに従って、信号処理を行う。これにより、サウンドシステム１５から、伴奏音が発音される。
【００２７】
イベントが「ガイド表示オン」、「ガイド表示オフ」であれば、読出し部５１は「ガイド表示オン」、「ガイド表示オフ」の命令をＬＥＤ制御部５２へ出力する。ＬＥＤ制御部５２は、「ガイド表示オン」の命令が入力されると、切替処理を開始する。ＬＥＤ制御部５２は、切替処理を開始すると、まず、付随する「ノートナンバー」に対応するガイド表示４０の第１予告灯４１の点灯をユーザインターフェース１２に指示する。次に、タイマ３１を用いて、第１予告灯４１の点灯を指示してからの経過時間が１拍に相当する時間となったと判断すると、対応するガイド表示４０の第１予告灯４１の消灯および第２予告灯４２の点灯をユーザインターフェース１２に指示する。同様に、第２予告灯４２の点灯を指示してからの経過時間が１拍に相当する時間となったと判断すると、対応するガイド表示４０の第２予告灯４２の消灯および第３予告灯４３の点灯をユーザインターフェース１２に指示する。同様に、第３予告灯４３の点灯を指示してからの経過時間が１拍に相当する時間となったと判断すると、対応するガイド表示４０の第３予告灯４３の消灯および押鍵指示灯４４の点灯をユーザインターフェース１２に指示する。次に、「ガイド表示オフ」の命令が入力されると、ＬＥＤ制御部５２は、押鍵指示灯４４の消灯をユーザインターフェース１２に指示し、切替処理を終了する。切替処理により、第１予告灯４１〜第３予告灯４３および押鍵指示灯４４の点灯・消灯が１拍毎に切替えられる。
【００２８】
尚、読出し部５１は、「スタート／ストップ」キーが押下されたと判断した場合、および楽曲データの終了コードを読み出した場合、読出し処理を終了する。
【００２９】
ここで、電子鍵盤楽器１は鍵盤楽器の一例であり、押鍵指示灯４４は押鍵指示表示手段の一例であり、第１予告灯４１〜第３予告灯４３は予告表示手段の一例であり、ＣＰＵ１６は制御手段の一例である。また、楽曲データは演奏情報の一例である。また、第１予告灯４１〜第３予告灯４３および押鍵指示灯４４の明滅は、表示態様が切替わる一例である。
【００３０】
以上、説明した実施形態によれば、以下の効果を奏する。
ＣＰＵ１６がプログラムを実行することなどによって実現されるＬＥＤ制御部５２は、楽曲データに基づいて、押鍵タイミングに先行して第１予告灯４１〜第３予告灯４３を順次明滅させ、押鍵タイミングで押鍵指示灯４４の点灯させる切替処理を実行する。点灯した場合の押鍵指示灯４４の表示面積は、点灯した場合の第１予告灯４１〜第３予告灯４３の表示面積よりも大きい。これにより、第１予告灯４１〜第３予告灯４３が点灯した場合にも、第１予告灯４１〜第３予告灯４３の表示面積と押鍵指示灯４４の表示面積とは異なるため、誤った押鍵を抑制することができる。また、押鍵指示灯４４の表示面積は第１予告灯４１〜第３予告灯４３の表示面積よりも大きいため、点灯した場合に、第１予告灯４１〜第３予告灯４３は押鍵指示灯４４よりも目立ちにくくなるため、押鍵指示灯４４が点灯した場合における誤った押鍵を抑制することができる。
【００３１】
［ガイド表示の別例１］
次にガイド表示４０の別例１について図７を用いて説明する。図７において、時間は、対応する鍵の押鍵タイミングを０としている。また、図７の上下方向は、電子鍵盤楽器１において規定される方向である。ガイド表示４０の別例であるガイド表示１４０は、ガイド表示４０と同様に、第１予告灯１４１、第２予告灯１４２、第３予告灯１４３、および押鍵指示灯１４４を有している。また、第１予告灯１４１〜第３予告灯１４３および押鍵指示灯１４４は、透明性シートおよびＬＥＤなどにより構成されている。二等辺三角形が上下方向に４等分に分割されて生成された４つの部分の各々が、第１予告灯１４１〜第３予告灯１４３および押鍵指示灯１４４を構成する透過性シートの平面視の形状とされている。詳しくは、第１予告灯１４１を構成する透過性シートの平面視の形状は二等辺三角形であり、第２予告灯１４２、第３予告灯１４３、および押鍵指示灯１４４を構成する透過性シートの平面視の形状は等脚台形である。このように、ガイド表示１４０の下側に位置する対応する鍵に向かって、第１予告灯１４１〜第３予告灯１４３および押鍵指示灯１４４の順に並んで設置されており、対応する鍵との距離が遠い第１予告灯１４１から押鍵指示灯１４４へ向かって、順に表示面積が大きい。
【００３２】
ガイド表示１４０はガイド表示４０と同様に、押鍵タイミングの３拍前、２拍前、１拍前、と時間が経過するのに応じて、第１予告灯１４１〜第３予告灯１４３は順に明滅する。また、押鍵タイミングとなると、押鍵指示灯１４４が点灯する。このように、第１予告灯１４１〜第３予告灯１４３のうち、対応する鍵との距離が遠い第１予告灯１４１から順次明滅する。尚、点灯した場合の第１予告灯１４１〜第３予告灯１４３および押鍵指示灯１４４の明るさは、同程度である。
【００３３】
以上、説明したガイド表示の別例１によれば、以下の効果を奏する。
第１予告灯１４１〜第３予告灯１４３の表示面積は押鍵指示灯１４４の表示面積よりも小さいことにより、第１予告灯１４１〜第３予告灯１４３は押鍵指示灯１４４よりも目立ちにくくなるため、第１予告灯１４１〜第３予告灯１４３が点灯した場合における誤った押鍵を抑制することができる。また、表示面積は第１予告灯１４１〜第３予告灯１４３および押鍵指示灯１４４の順に大きいことにより、押鍵タイミングが近づく様子が順に大きくなる表示面積で表現されるため、演奏者は押鍵タイミングが近づいていることを感覚的に捉えやすくなることができる。
【００３４】
［ガイド表示の別例２］
次にガイド表示４０の別例２について図８を用いて説明する。図８において、時間は、対応する鍵の押鍵タイミングを０としている。また、図８の上下方向は、電子鍵盤楽器１において規定される方向である。ガイド表示４０の別例であるガイド表示２４０は、ガイド表示４０と同様に、第１予告灯２４１、第２予告灯２４２、第３予告灯２４３、および押鍵指示灯２４４を有している。また、第１予告灯２４１〜第３予告灯２４３および押鍵指示灯２４４は、透明性シートおよびＬＥＤなどにより構成されている。第１予告灯２４１〜第３予告灯２４３および押鍵指示灯２４４を構成する透過性シートの各々の平面視の形状は互いに同じで矩形である。第１予告灯２４１を構成するＬＥＤの発光色は白色であり、押鍵指示灯２４４を構成するＬＥＤの発光色は赤色である。第２予告灯２４２および第３予告灯２４３の各々を構成するＬＥＤとして、発光色が赤色のＬＥＤと、発光色が白色のＬＥＤとの２つがある。点灯した場合の第１予告灯２４１〜第３予告灯２４３および押鍵指示灯２４４の明るさは、同程度である。ここで、第２予告灯２４２が点灯した場合よりも、第３予告灯２４３が点灯した場合の方が、赤みが強く見えるように、各々の赤色のＬＥＤと白色のＬＥＤとの明るさの比率が調整されている。これにより、第１予告灯２４１〜第３予告灯２４３および押鍵指示灯２４４が順に点灯した場合、表示色が白色から赤色に変化して視認される。尚、図８では、表示色の違いを異なるハッチングにて表現している。
【００３５】
以上、説明したガイド表示の別例２によれば、以下の効果を奏する。
押鍵指示灯２４４と、第１予告灯２４１〜第３予告灯２４３とは表示色が異なることにより、押鍵指示灯２４４と第１予告灯２４１〜第３予告灯２４３との差異が明確になるため、第１予告灯２４１〜第３予告灯２４３が点灯した場合における誤った押鍵を抑制することができる。また、第１予告灯２４１の表示色は白色なのに対し、押鍵指示灯２４４の表示色は赤色であるため、点灯の際、第１予告灯２４１は押鍵指示灯２４４よりも目立ちにくくなるため、第１予告灯１４１が点灯した場合における誤った押鍵を抑制することができる。また、第１予告灯２４１〜第３予告灯２４３および押鍵指示灯２４４が順に点灯した場合、表示色が白色から赤色に変化して視認されるため、演奏者は押鍵タイミングが近づいていることを感覚的に捉えやすくなることができる。
【００３６】
［ガイド表示の別例３］
次にガイド表示４０の別例３について説明する。ガイド表示４０の別例３は、ガイド表示２４０と同様の形状の透過性シートで構成されている。但し、ガイド表示２４０と異なり、第１予告灯、第２予告灯、第３予告灯、および押鍵指示灯を構成するＬＥＤの発光色はすべて赤色である。また、点灯した場合の第１予告灯〜第３予告灯および押鍵指示灯の光量は、この順に多くなるように、各々のＬＥＤの光量が調整されている。
【００３７】
ここで、ＬＥＤは発光手段の一例である。
【００３８】
以上、説明したガイド表示の別例３によれば、以下の効果を奏する。
押鍵指示灯と、第１予告灯〜第３予告灯とは点灯時の光量が異なることにより、押鍵指示灯と第１予告灯〜第３予告灯との差異が明確になるため、第１予告灯〜第３予告灯が点灯した場合における誤った押鍵を抑制することができる。また、第１予告灯〜第３予告灯の光量は押鍵指示灯の光量よりも少ないため、点灯の際、第１予告灯〜第３予告灯は押鍵指示灯よりも目立ちにくくなるため、第１予告灯〜第３予告灯が点灯した場合における誤った押鍵を抑制することができる。また、第１予告灯〜第３予告灯および押鍵指示灯が順に点灯した場合、光量が段階的に大きく変化して視認されるため、演奏者は押鍵タイミングが近づいていることを感覚的に捉えやすくなることができる。
【００３９】
尚、本発明は前記実施形態に限定されるものではなく、本発明の趣旨を逸脱しない範囲内での種々の改良、変更が可能であることは言うまでもない。
上記では、ガイド表示４０は透過性シートとＬＥＤとで構成されていると説明したが、これに限定されない。例えば、第１予告灯４１、第２予告灯４２、第３予告灯４３、および押鍵指示灯４４の各々は筐体１ａから露出するＬＥＤなどの発光素子で構成されても良い。
【００４０】
また、例えば、ガイド表示の別例２において、ガイド表示４０は透過性シートとＬＥＤとで構成されており、第１予告灯２４１を構成するＬＥＤと、押鍵指示灯２４４を構成するＬＥＤの発光色とでは発光色が異なり、第１予告灯２４１と押鍵指示灯２４４との表示色が異なると説明したがこれに限定されない。例えば、第１予告灯２４１〜第３予告灯２４３および押鍵指示灯２４４を、透明性シートに替えてカラーフィルタで構成し、ＬＥＤの発光色を例えば白色として構成としても良い。この場合、第１予告灯２４１〜第３予告灯２４３および押鍵指示灯２４４の各々を構成するカラーフィルタの種類を互いに異なるものとすれば、表示色を異なるものとすることができる。また、ガイド表示の別例３において、点灯した場合の第１予告灯〜第３予告灯および押鍵指示灯の光量は、この順に多くなるように、各々のＬＥＤの光量が調整されていると説明したがこれに限定されない。各々のＬＥＤの光量は同等で、各々の透過性シートの透過率を互いに異なるものとして構成しても良い。
【００４１】
また、ガイド表示の別例２において、第２予告灯２４２が点灯した場合よりも、第３予告灯２４３が点灯した場合の方が、赤みが強く見えるように、各々の赤色のＬＥＤと白色のＬＥＤとの明るさの比率が調整されていると説明したがこれに限定されない。例えば、第２予告灯２４２および第３予告灯２４３の表示色をピンク色とし、第２予告灯２４２の表示色よりも、第３予告灯２４３の表示色の方を、赤みが強いピンク色とする構成としても良い。つまり、第１予告灯２４１〜第３予告灯２４３および押鍵指示灯２４４が順に点灯した場合、表示色が白色、ピンク色、赤色に変化して視認されるように構成しても良い。
【００４２】
また、上記では、発光手段としてＬＥＤを例示したが、これに限定されず、例えば、蛍光灯などでも良い。
【００４３】
また、上記では、ガイド表示４０の表示色を例示したが、色を限定するものではない。また、上記では、第１予告灯４１〜第３予告灯４３および押鍵指示灯４４は１拍毎に明滅されると説明したが、時間間隔を限定するものではない。また、上記では、例えば、押鍵指示灯４４を構成する透過性シートは平面視で矩形の形状を有しているなど、透過性シートの平面視における形状を説明したが、形状を限定するものではない。
【００４４】
また、上記では、表示様態が切替わる一例として、第１予告灯４１〜第３予告灯４３および押鍵指示灯４４が明滅すると説明したが、これに限定されない。例えば、第１予告灯４１〜第３予告灯４３および押鍵指示灯４４の表示色が、例えば白色から赤色に切替わるなどしても良い。あるいは、第１予告灯４１〜第３予告灯４３および押鍵指示灯４４の光量が切替わるなどしても良い。
【００４５】
また、上記では、楽曲データに予め、「ガイド表示オン」および「ガイド表示オフ」が含まれていると説明したが、これに限定されない。「ガイド表示オン」および「ガイド表示オフ」の一方、あるいは両方が楽曲データに含まれていない構成としても良い。この場合、例えば、「ガイド表示オン」が含まれていない場合には、読出し部５１は時間情報およびイベントを略同時に読出し、「ノートオン」のデータを読み出すと「ノートオン」に対応する時間情報の３拍前に相当するタイミングで「ノートオン」の命令をＬＥＤ制御部５２へ出力し、これに応じてＬＥＤ制御部５２は第１予告灯４１を点灯させる構成とすれば良い。
【００４６】
また、上記では、鍵盤楽器として電子鍵盤楽器１を例示したが、これに限定されない。上記したように、鍵盤操作に応じた発音とは別にガイド表示４０の制御は行われるので、例えばアコースティックピアノなどのアコースティック鍵盤楽器などにも適用することができる。
【符号の説明】
【００４７】
１  電子鍵盤楽器
１０  鍵盤
１２  ユーザインターフェース
１６  ＣＰＵ
２０  データ記憶部
４０  ガイド表示
４１  第１予告灯
４２  第２予告灯
４３  第３予告灯
４４  押鍵指示灯
５１  読出し部
５２  ＬＥＤ制御部
【図１】
2018077319.tif 000003
【図２】
2018077319.tif 000004
【図３】
2018077319.tif 000005
【図４】
2018077319.tif 000006
【図５】
2018077319.tif 000007
【図６】
2018077319.tif 000008
【図７】
2018077319.tif 000009
【図８】
2018077319.tif 000010